(57)【特許請求の範囲】
【請求項１】
予め適宜脱水処理された処理汚泥を乾燥用容器に搬入する乾燥用容器への処理汚泥の自動搬入方法であって、
処理汚泥が集積される集積ホッパーと、搬入作業定位置に配置する前記乾燥用容器と、前記乾燥用容器の上方位置である前進位置と該乾燥用容器の上方位置から退く後退位置との間でスライド式ベルトコンベア全体を進退移動させるスライド式ベルトコンベア移動装置と、を備え、
前記スライド式ベルトコンベアの後退位置で該コンベアのベルトを一方向に運行させながら該ベルトの上に前記集積ホッパー内の処理汚泥を直接又は間接的に積み込み、積み込み後、前記スライド式ベルトコンベア全体を前記乾燥用容器の上方位置にまで前進させ、次いで、前記乾燥用容器の上方位置で前記スライド式ベルトコンベアのベルトを一方向に運行させるとともに該スライド式ベルトコンベア全体を後退させながら該ベルト上の処理汚泥を前記乾燥用容器に搬入させることを特徴とする、乾燥用容器への処理汚泥の自動搬入方法。
【請求項２】
予め適宜脱水処理された処理汚泥を乾燥用容器に搬入する乾燥用容器への処理汚泥の自動搬入装置であって、
処理汚泥が集積される集積ホッパーと、搬入作業定位置に配置した前記乾燥用容器と、前記乾燥用容器の上方位置である前進位置と該乾燥用容器の上方位置から退く後退位置との間で進退移動可能であり、前記後退位置でベルトを一方向に運行させながら該ベルトの上に前記集積ホッパー内の処理汚泥を直接又は間接的に積み込み、前記前進位置でベルトを一方向に運行させるとともに全体を後退させながら該ベルト上の処理汚泥を前記乾燥用容器に搬入させるスライド式ベルトコンベアと、を備えていることを特徴とする、乾燥用容器への処理汚泥の自動搬入装置。
【請求項３】
予め適宜脱水処理された処理汚泥を乾燥用容器に搬入する乾燥用容器への処理汚泥の自動搬入方法であって、
処理汚泥が集積される集積ホッパーと、搬入作業定位置に配置する前記乾燥用容器と、前記乾燥用容器の上方位置である前進位置と該乾燥用容器の上方位置から退く後退位置との間でスライド式ベルトコンベア全体を進退移動させるスライド式ベルトコンベア移動装置と、を備え、
前記スライド式ベルトコンベアの後退位置で該コンベアのベルトを一方向に運行させながら該ベルトの上に前記集積ホッパー内の処理汚泥を直接又は間接的に積み込み、積み込み後、前記スライド式ベルトコンベアのベルトを一方向に運行させるとともに該スライド式ベルトコンベア全体を前記乾燥用容器の上方位置に前進させながら該ベルト上の処理汚泥を前記乾燥用容器に搬入させることを特徴とする、乾燥用容器への処理汚泥の自動搬入方法。
【請求項４】
予め適宜脱水処理された処理汚泥を乾燥用容器に搬入する乾燥用容器への処理汚泥の自動搬入装置であって、
処理汚泥が集積される集積ホッパーと、搬入作業定位置に配置した前記乾燥用容器と、前記乾燥用容器の上方位置である前進位置と該乾燥用容器の上方位置から退く後退位置との間で進退移動可能であり、前記後退位置でベルトを一方向に運行させながら該ベルトの上に前記集積ホッパー内の処理汚泥を直接又は間接的に積み込み、この積み込み後ベルトを一方向に運行させるとともに全体を前進させながら該ベルト上の処理汚泥を前記乾燥用容器に搬入させるスライド式ベルトコンベアと、を備えていることを特徴とする、乾燥用容器への処理汚泥の自動搬入装置。
【請求項５】
予め適宜脱水処理された処理汚泥を乾燥用容器に搬入する乾燥用容器への処理汚泥の自動搬入方法であって、
処理汚泥が集積される集積ホッパーと、搬入作業定位置に配置する前記乾燥用容器と、前記乾燥用容器の上方位置と前記乾燥用容器の上方位置から退く位置とにわたって伸縮可能な伸縮式ベルトコンベアと、を備え、
縮小状態にある前記伸縮式ベルトコンベアのベルトを一方向に運行させるとともに伸長させながら該ベルトの上に前記集積ホッパー内の処理汚泥を直接又は間接的に積み込み、積み込み後、伸長状態にある前記伸縮式ベルトコンベアのベルトを一方向に運行させるともに縮小させながら該ベルト上の処理汚泥を前記乾燥用容器に搬入させることを特徴とする、乾燥用容器への処理汚泥の自動搬入方法。
【請求項６】
予め適宜脱水処理された処理汚泥を乾燥用容器に搬入する乾燥用容器への処理汚泥の自動搬入装置であって、
処理汚泥が集積される集積ホッパーと、搬入作業定位置に配置する前記乾燥用容器と、前記乾燥用容器の上方位置と前記乾燥用容器の上方位置から退く位置とにわたって伸縮可能であり、縮小状態にあるベルトを一方向に運行させるとともに伸長させながら該ベルトの上に前記集積ホッパー内の処理汚泥を直接又は間接的に積み込み、伸長状態にあるベルトを一方向に運行させるともに縮小させながら該ベルト上の処理汚泥を前記乾燥用容器に搬入させる伸縮式ベルトコンベアと、を備えていることを特徴とする、乾燥用容器への処理汚泥の自動搬入装置。
【請求項７】
予め適宜脱水処理された処理汚泥を乾燥用容器に搬入する乾燥用容器への処理汚泥の自動搬入方法であって、
処理汚泥が集積される集積ホッパーと、搬入作業定位置に配置する前記乾燥用容器と、前記乾燥用容器の上方位置と前記乾燥用容器の上方位置から退く位置とにわたって伸縮可能な伸縮式ベルトコンベアと、を備え、
縮小状態にある前記伸縮式ベルトコンベアのベルトを一方向に運行させるとともに伸長させながら該ベルトの上に前記集積ホッパー内の処理汚泥を直接又は間接的に積み込み、この積み込んだ処理汚泥を前記伸長に伴い前記乾燥用容器に搬入させることを特徴とする、乾燥用容器への処理汚泥の自動搬入方法。
【請求項８】
予め適宜脱水処理された処理汚泥を乾燥用容器に搬入する乾燥用容器への処理汚泥の自動搬入装置であって、
処理汚泥が集積される集積ホッパーと、搬入作業定位置に配置する前記乾燥用容器と、前記乾燥用容器の上方位置と前記乾燥用容器の上方位置から退く位置とにわたって伸縮可能であり、縮小状態にあるベルトを一方向に運行させるとともに伸長させながら該ベルトの上に前記集積ホッパー内の処理汚泥を直接又は間接的に積み込み、この積み込んだ処理汚泥を前記伸長に伴い前記乾燥用容器に搬入させる伸縮式ベルトコンベアと、を備えていることを特徴とする、乾燥用容器への処理汚泥の自動搬入装置。
【発明の詳細な説明】
【技術分野】
【０００１】
本発明は、天日乾燥による汚泥脱水乾燥装置に使用される乾燥用容器に、予め適宜脱水処理された処理汚泥を自動搬入する方法および装置に関する。
【背景技術】
【０００２】
浄水場や下水処理場、あるいは河川、ため池などで発生する汚泥を天日乾燥させるための汚泥脱水乾燥装置として、先に同一出願人により、図６に示すように、複数の乾燥棚２１〜２４を上下に所定間隔を置いて数段階に重合配置し、乾燥棚２１〜２４の両端部に汚泥を収容する乾燥用容器（濾過容器）２０を各段の乾燥棚の高さまで昇降させるリフター装置２５Ｌ，２５Ｒを配置させて、汚泥入り乾燥用容器２０を下段の乾燥棚から上段の乾燥棚へリフター装置２５Ｌ，２５Ｒにより順次移動させながら天日乾燥できるようにしたものを提案した（例えば、特許文献１参照。）。
【０００３】
【特許文献１】特許第３６１６７３８号公報
【発明の開示】
【発明が解決しようとする課題】
【０００４】
しかるに、上記のような多段式の汚泥脱水乾燥装置では、複数の乾燥棚２１〜２４を上下に数段階に重合配置するため、大量汚泥を天日乾燥する場合にも敷地面積の有効利用を図れるが、水中から汲み上げられた含水率９５〜９７％の高含水汚泥を天日乾燥させるため、天日乾燥日数が長くかかるという問題がある。そこで、この多段式の汚泥脱水乾燥装置で天日乾燥させるに先立ち、脱水機械等で含水率９５〜９７％の高含水汚泥を８２〜８６％程度にまで脱水処理したうえで、この処理汚泥を乾燥用容器２０に搬入してこれを多段式の汚泥脱水乾燥装置に移すことにより天日乾燥させることが、天日乾燥日数を短縮化することができて望ましい。
しかしながら、そうした場合、問題となるのは、予め脱水処理した汚泥も乾燥用容器２０に山、谷のある凸凹状態や山盛り状態に搬入させては汚泥層中心部まで乾燥させる日数が多くかかり、所期の乾燥日数短縮目的を達成できないことになる。
【０００５】
本発明の目的は、予め適宜脱水処理した汚泥を乾燥用容器にできる限り均一に均した状態に薄く搬入できる乾燥用容器への処理汚泥の自動搬入方法および自動搬入装置を提供することにある。
【課題を解決するための手段】
【０００６】
本発明の請求項１に係る発明は、予め適宜脱水処理された処理汚泥を乾燥用容器に搬入する乾燥用容器への処理汚泥の自動搬入方法であって、処理汚泥が集積される集積ホッパーと、搬入作業定位置に配置する前記乾燥用容器と、前記乾燥用容器の上方位置である前進位置と該乾燥用容器の上方位置から退く後退位置との間でスライド式ベルトコンベア全体を進退移動させるスライド式ベルトコンベア移動装置と、を備え、前記スライド式ベルトコンベアの後退位置で該コンベアのベルトを一方向に運行させながら該ベルトの上に前記集積ホッパー内の処理汚泥を直接又は間接的に積み込み、積み込み後、前記スライド式ベルトコンベア全体を前記乾燥用容器の上方位置にまで前進させ、次いで、前記乾燥用容器の上方位置で前記スライド式ベルトコンベアのベルトを一方向に運行させるとともに該スライド式ベルトコンベア全体を後退させながら該ベルト上の処理汚泥を前記乾燥用容器に搬入させることに特徴を有するものである。
【０００７】
この場合において、上記の、積み込み後、前記スライド式ベルトコンベア全体を前記乾燥用容器の上方位置にまで前進させ、次いで、前記乾燥用容器の上方位置で前記スライド式ベルトコンベアのベルトを一方向に運行させるとともに該スライド式ベルトコンベア全体を後退させながら該ベルト上の処理汚泥を前記乾燥用容器に搬入させる、という工程に代えて、請求項３記載の発明のように、積み込み後、前記スライド式ベルトコンベアのベルトを一方向に運行させるとともに該スライド式ベルトコンベア全体を前記乾燥用容器の上方位置に前進させながら該ベルト上の処理汚泥を前記乾燥用容器に搬入させる、という工程を採用することもできる。請求項３に係る発明のその他の構成は、請求項１記載の乾燥用容器への処理汚泥の自動搬入方法と同様である。
【０００８】
本発明の請求項２に係る発明は、予め適宜脱水処理された処理汚泥を乾燥用容器に搬入する乾燥用容器への処理汚泥の自動搬入装置であって、処理汚泥が集積される集積ホッパーと、搬入作業定位置に配置した前記乾燥用容器と、前記乾燥用容器の上方位置である前進位置と該乾燥用容器の上方位置から退く後退位置との間で進退移動可能であり、前記後退位置でベルトを一方向に運行させながら該ベルトの上に前記集積ホッパー内の処理汚泥を直接又は間接的に積み込み、前記前進位置でベルトを一方向に運行させるとともに全体を後退させながら該ベルト上の処理汚泥を前記乾燥用容器に搬入させるスライド式ベルトコンベアと、を備えていることに特徴を有するものである。
【０００９】
この場合において、上記のスライド式ベルトコンベアが、前記前進位置でベルトを一方向に運行させるとともに全体を後退させながら該ベルト上の処理汚泥を前記乾燥用容器に搬入させることに代えて、請求項４記載の発明のように、積み込み後ベルトを一方向に運行させるとともに全体を前進させながら該ベルト上の処理汚泥を前記乾燥用容器に搬入させるようにすることもできる。請求項４に係る発明のその他の構成は、請求項２記載の乾燥用容器への処理汚泥の自動搬入装置と同様である。
【００１０】
本発明の請求項５に係る発明は、予め適宜脱水処理された処理汚泥を乾燥用容器に搬入する乾燥用容器への処理汚泥の自動搬入方法であって、処理汚泥が集積される集積ホッパーと、搬入作業定位置に配置する前記乾燥用容器と、前記乾燥用容器の上方位置と前記乾燥用容器の上方位置から退く位置とにわたって伸縮可能な伸縮式ベルトコンベアと、を備え、縮小状態にある前記伸縮式ベルトコンベアのベルトを一方向に運行させるとともに伸長させながら該ベルトの上に前記集積ホッパー内の処理汚泥を直接又は間接的に積み込み、積み込み後、伸長状態にある前記伸縮式ベルトコンベアのベルトを一方向に運行させるともに縮小させながら該ベルト上の処理汚泥を前記乾燥用容器に搬入させることに特徴を有するものである。
【００１１】
この場合において、上記の、積み込み後、伸長状態にある前記伸縮式ベルトコンベアのベルトを一方向に運行させるともに縮小させながら該ベルト上の処理汚泥を前記乾燥用容器に搬入させる、という工程に代えて、請求項７記載の発明のように、この積み込んだ処理汚泥を前記伸長に伴い前記乾燥用容器に搬入させる、という工程を採用することもできる。請求項７に係る発明のその他の構成は、請求項５記載の乾燥用容器への処理汚泥の自動搬入方法と同様である。
【００１２】
本発明の請求項６に係る発明は、予め適宜脱水処理された処理汚泥を乾燥用容器に搬入する乾燥用容器への処理汚泥の自動搬入装置であって、処理汚泥が集積される集積ホッパーと、搬入作業定位置に配置する乾燥用容器と、前記乾燥用容器の上方位置と前記乾燥用容器の上方位置から退く位置とにわたって伸縮可能であり、縮小状態にあるベルトを一方向に運行させるとともに伸長させながら該ベルトの上に前記集積ホッパー内の処理汚泥を直接又は間接的に積み込み、伸長状態にあるベルトを一方向に運行させるともに縮小させながら該ベルト上の処理汚泥を前記乾燥用容器に搬入させる伸縮式ベルトコンベアと、を備えていることに特徴を有するものである。
【００１３】
この場合において、上記の伸縮式ベルトコンベアが、伸長状態にあるベルトを一方向に運行させるともに縮小させながら該ベルト上の処理汚泥を前記乾燥用容器に搬入させることに代えて、請求項８記載の発明のように、この積み込んだ処理汚泥を前記伸長に伴い前記乾燥用容器に搬入させるようにすることもできる。請求項８に係る発明のその他の構成は、請求項６記載の乾燥用容器への処理汚泥の自動搬入装置と同様である。
【発明の効果】
【００１４】
本発明の請求項１〜４に記載の発明によれば、スライド式ベルトコンベアの後退位置で該コンベアのベルトを一方向に運行させながら該ベルトの上に集積ホッパー内の処理汚泥を積み込むので、処理汚泥をスライド式ベルトコンベアのベルト上に略均等な厚みに積み込むことができる。とくに、そのように処理汚泥が略均等な厚みに積み込まれたスライド式ベルトコンベアのベルトを一方向に運行させるとともに該コンベア全体を乾燥用容器の上方位置で後退または前進させながら該ベルト上の処理汚泥を乾燥用容器に搬入させるので、処理汚泥を乾燥用容器に略均一に均した状態に薄く搬入でき、少ない乾燥日数で効率良く天日乾燥することができる。
【００１５】
請求項５〜８に記載の発明によれば、縮小状態にある伸縮式ベルトコンベアのベルトを一方向に運行させるとともに伸長させながら該ベルトの上に集積ホッパー内の処理汚泥を積み込むので、処理汚泥をスライド式ベルトコンベアのベルト上に略均等な厚みに積み込むことができる。とくに、そのように処理汚泥が略均等な厚みに積み込まれた伸長状態にある伸縮式ベルトコンベアのベルトを一方向に運行させるとともに縮小させながら、または前記伸縮式ベルトコンベアの伸長に伴い該ベルト上の処理汚泥を乾燥用容器に搬入させるので、処理汚泥を乾燥用容器に略均一に均した状態に薄く搬入でき、少ない乾燥日数で効率良く天日乾燥することができる。
【発明を実施するための最良の形態】
【００１６】
本発明の好適な実施形態を図面に基づき説明する。図１は本発明の方法を実施できる自動搬入装置の平面図、図２は図１における矢印Ａ方向から見た側面図、図３（ａ），（ｂ）は図１の自動搬入装置の作動説明図、図４は乾燥用容器の分解斜視図である。図５（ａ），（ｂ）は他の実施例の自動搬入装置の作動説明図である。
【００１７】
（請求項１，２に対応する第１実施例）
本発明に係る乾燥用容器への処理汚泥の自動搬入方法は、例えば図４図に示すような乾燥用容器１を使用する。この乾燥用容器１は、砂の通過を阻止し且つ水及び空気の通過を許容する濾布２が上面開放状の多孔容器本体３の内部に敷設されてなる。多孔容器本体３は、細い鉄筋で大きい篭目を形成するよう四角形の浅い皿状に編組して作った籠や、透明なプラスチック材で多数の孔を有する四角形の浅い皿形状に成形したものなどからなる。濾過容器１の大きさや形状は、特に限定されないが、例えば、縦２ｍ、横３ｍ、高さ２０ｃｍ程度の大きさのものを使用する。
【００１８】
本発明に係る乾燥用容器への処理汚泥の自動搬入方法は、予め、図１、図２に示すスクリュープレス脱水機４等で含水率８２〜８６％程度にまで脱水処理された処理汚泥を、次のような自動搬入装置を用いて乾燥用容器１に自動搬入する。
すなわち、本発明に係る乾燥用容器への処理汚泥の自動搬入装置は、図１、図２に示すように、処理汚泥が集積される集積ホッパー５と、搬入作業定位置Ｂに配置する乾燥用容器１と、スライド式ベルトコンベア６と、乾燥用容器１の上方位置である前進位置Ｃと該乾燥用容器１の上方位置から退く後退位置Ｄとの間でスライド式ベルトコンベア６全体を進退移動させるスライド式ベルトコンベア移動装置７と、集積ホッパー５の下方とスライド式ベルトコンベア６の上方との間に配置される中継ベルトコンベア８とを備える。
【００１９】
かくして、図１に示すように、集積ホッパー５の下部の排出口から処理汚泥９を、中継ベルトコンベア８のベルト８ａを一方向（矢印Ｗ方向）に運行させながら該ベルト８ａの上に積み込み、この中継ベルトコンベア８のベルト８ａ上の処理汚泥９を、図３（ａ）のように後退位置にあるスライド式ベルトコンベア６のベルト６ａを一方向（矢印Ｘ方向）に運行させながら該ベルト６ａの上に積み込む。これによりスライド式ベルトコンベア６のベルト６ａ上に処理汚泥９を略均等厚で積み込むことができる。
積み込み後、図３（ｂ）に示すように、処理汚泥９の積み込まれたスライド式ベルトコンベア６全体をスライド式ベルトコンベア移動装置７により乾燥用容器１の上方位置にまで前進させ、次いで、乾燥用容器１の上方位置でスライド式ベルトコンベア６のベルト６ａを一方向（矢印Ｘ方向）に運行させるとともに該スライド式ベルトコンベア６全体をスライド式ベルトコンベア移動装置７により後退させながら該ベルト６ａ上の処理汚泥９をスライド式ベルトコンベア６の前端部６０から落しつつ乾燥用容器１に搬入させる。これにより処理汚泥９を乾燥用容器１に略均一に均した状態に薄く搬入できる。
【００２０】
１回の搬入作業で乾燥容器１内の全体を埋め尽くせない場合は数回にわたって搬入する。この場合、２回目以降の搬入ごとに、乾燥容器１内の空白箇所がスライド式ベルトコンベア６の直下に位置するように乾燥用容器１を図１中の矢印Ｙ方向に所定ピッチずつ送る。
【００２１】
予め適宜脱水された処理汚泥９は、上記のようにスライド式ベルトコンベア６のベルト６ａ上に略均等な厚みに積み込まれ、そのスライド式ベルトコンベア６のベルト６ａの一方向（矢印Ｘ方向）の運行とスライド式ベルトコンベア６全体の後退動により、乾燥用容器１に平らに均した状態に薄く自動的に搬入することができる。したがって、上記のように処理汚泥９が平らに均した状態に収容された乾燥用容器１は図６に示す汚泥脱水乾燥装置のリフター装置２５Ｌに移載して天日乾燥に供すると、少ない乾燥日数で効率良く天日乾燥することができる。
【００２２】
上記実施例では、集積ホッパー５内の処理汚泥９をスライド式ベルトコンベア６のベルト６ａの上に積み込むに際し、集積ホッパー５内の処理汚泥をスライド式ベルトコンベア６のベルト６ａの上に中継ベルトコンベア８を介して間接的に積み込むものとしているが、これに代えて、中継ベルトコンベア８を省略し、集積ホッパー５の下部の排出口から処理汚泥９をスライド式ベルトコンベア６のベルト６ａの上に直接積み込むようにすることもできる。
【００２３】
（請求項３，４に対応する第２実施例）
上記の第１実施例では、処理汚泥９の積み込まれたスライド式ベルトコンベア６全体を、一旦、スライド式ベルトコンベア移動装置７により乾燥用容器１の上方位置にまで前進させ、しかる後、乾燥用容器１の上方位置でスライド式ベルトコンベア６のベルト６ａを一方向（矢印Ｘ方向）に運行させるとともに該スライド式ベルトコンベア６全体をスライド式ベルトコンベア移動装置７により後退させながら該ベルト６ａ上の処理汚泥９をスライド式ベルトコンベア６の前端部６０から落しつつ乾燥用容器１に搬入させるが、これに代えて、処理汚泥９の積み込まれたスライド式ベルトコンベア６全体がスライド式ベルトコンベア移動装置７により乾燥用容器１の上方位置に前進する途上で該ベルト６ａ上の処理汚泥９をスライド式ベルトコンベア６の前端部６０から落しつつ乾燥用容器１に搬入させることもできる。これによっても処理汚泥９を乾燥用容器１に略均一に均した状態に薄く搬入できる。
【００２４】
（請求項５，６に対応する第３実施例）
第２実施例を示す図５（ａ），（ｂ）では、上記第１実施例のスライド式ベルトコンベア６に代えて、伸縮式ベルトコンベア１０を使用し、その他の構成は第１実施例の自動搬入装置と同様に、集積ホッパー５と、搬入作業定位置Ｂに配置する乾燥用容器１と、中継ベルトコンベア８（図１参照）とを備える。伸縮式ベルトコンベア１０は、例えば、無端状のベルト１０ａを３つの固定プーリ１０ｂ、１０ｃ、１０ｄと、２つのスライドプーリ１０ｅ、１０ｆに掛架し、２つのスライドプーリ１０ｅ、１０ｆを図外のスライドブロックで支持してなる。そして、伸縮式ベルトコンベア１０は、モータや操作シリンダー等のアクチュエーター（図示せず）により前記スライドブロックをスライドさせることにより集積ホッパー５の下方と乾燥用容器１の上方との中間位置から乾燥用容器１の上方位置にまで伸長する伸長状態（図５（ｂ）参照）と、縮小状態（図５（ａ）参照）とにわたって伸長・縮小するようにしている。図示省略するが、中継ベルトコンベア８は、乾燥用容器１の上方位置から退いて縮小状態にある伸縮式ベルトコンベア１０（図（ａ）参照）の上方と、集積ホッパー５の下方との間に配置される。
【００２５】
かくして、集積ホッパー５の下部の排出口から処理汚泥９を中継ベルトコンベア８のベルト８ａを一方向（矢印Ｗ方向）に運行させながら該ベルト８ａの上に積み込み（図１参照）、図５（ａ）のように縮小状態にある伸縮式ベルトコンベア１０のベルト１０ａを一方向（矢印Ｚ方向）に運行させるとともに、図５（ｂ）のように伸長させながら該ベルト１０ａの上に中継ベルトコンベア８のベルト８ａ上の処理汚泥９を積み込む。これにより伸縮式ベルトコンベア１０の固定プーリ１０ｂとスライドプーリ１０ｆ間のベルト１０ａ上に処理汚泥９を略均等厚で積み込むことができる。
積み込み後、図５（ｂ）のように伸長状態にある伸縮式ベルトコンベア１０のベルト１０ａを一方向（矢印Ｚ方向）に運行させるともに、図５（ａ）のように縮小させながら該ベルト１０ａ上の処理汚泥９を伸縮式ベルトコンベア１０の前端部１００から落しつつ乾燥用容器１に搬入させる。これにより処理汚泥９を乾燥用容器１に略均一に均した状態に薄く搬入できる。
【００２６】
この第３実施例においても、予め適宜脱水された処理汚泥９は、上記のように伸縮式ベルトコンベア１０のベルト１０ａ上に略均等な厚みに積み込まれ、その伸縮式ベルトコンベア１０のベルト１０ａの一方向（矢印Ｚ方向）の運行と縮小作用により乾燥用容器１に平らに均した状態に薄く自動的に搬入することができる。したがって、上記のように処理汚泥９が平らに均した状態に収容された乾燥用容器１は図６に示す汚泥脱水乾燥装置のリフター装置２５Ｌに移載して天日乾燥に供すると、少ない乾燥日数で効率良く天日乾燥することができる。
【００２７】
また、第３実施例においても、集積ホッパー５内の処理汚泥９を伸縮式ベルトコンベア１０のベルト１０ａの上に積み込むに際し、集積ホッパー５内の処理汚泥９を伸縮式ベルトコンベア１０のベルト１０ａの上に中継ベルトコンベア８を介して間接的に積み込むものとしているが、これに代えて、中継ベルトコンベア８を省略し、集積ホッパー５の下部の排出口から処理汚泥９を縮小状態にある伸縮式ベルトコンベア１０のベルト１０ａの上に直接積み込むようにすることもできる。
【００２８】
（請求項７，８に対応する第４実施例）
上記の第３実施例では、伸縮式ベルトコンベア１０を伸長させながら該ベルト１０ａ上に処理汚泥９を積み込み、しかる後伸長し切った伸縮式ベルトコンベア１０を縮小させながら該ベルト１０ａ上の処理汚泥９を伸縮式ベルトコンベア１０の前端部１００から落しつつ乾燥用容器１に搬入させるが、これに代えて、伸縮式ベルトコンベア１０を伸長させながら該ベルト１０ａ上に処理汚泥９を積み込むとともに、この積み込んだ処理汚泥９を伸縮式ベルトコンベア１０の前記伸長に伴い該コンベア１０の前端部１００から落しつつ乾燥用容器に搬入させることもできる。これによっても処理汚泥９を乾燥用容器１に略均一に均した状態に薄く搬入できる。
【図面の簡単な説明】
【００２９】
【図１】本発明の方法を実施できる自動搬入装置の平面図である。
【図２】図１における矢印Ａ方向から見た側面図である。
【図３】（ａ），（ｂ）は図１の自動搬入装置の作動説明図である。
【図４】乾燥用容器の分解斜視図である。
【図５】（ａ），（ｂ）は他の実施例の自動搬入装置の作動説明図である。
【図６】従来例の汚泥脱水乾燥装置の正面図である。
【符号の説明】
【００３０】
１  乾燥用容器
５  集積ホッパー
６  スライド式ベルトコンベア
７  スライド式ベルトコンベア移動装置
９  処理汚泥
１０  伸縮式ベルトコンベア
【図１】
0004625758.tif 000002
【図２】
0004625758.tif 000003
【図３】
0004625758.tif 000004
【図４】
0004625758.tif 000005
【図５】
0004625758.tif 000006
【図６】
0004625758.tif 000007